(57)【特許請求の範囲】
【請求項１】
現像剤像を担持する感光ドラムを備えるドラムユニットと、
開口部を備える第１側壁と、前記感光ドラムの軸線方向に間隔を隔てて配置される第２側壁と、を備える装置本体であって、前記開口部を介して前記ドラムユニットを前記軸線方向に引き出し可能である装置本体と、
前記開口部を開放する開放位置と、前記開口部を閉鎖する閉鎖位置とに移動可能な開閉部材と、
前記装置本体に設けられ、前記感光ドラムを露光するように前記感光ドラムに近接される露光位置と、前記感光ドラムから退避される退避位置とに移動可能な露光部材と、
前記軸線方向における前記第１側壁側の一端に被押圧部を備え、前記開閉部材の開閉動作に伴なって、前記軸線方向に沿ってスライド移動可能なスライド部材と、前記スライド部材のスライド移動により、前記露光部材を前記露光位置と前記退避位置とに移動させる移動部材とを備え、露光部材の下側に設けられる移動機構と、を備え、
前記スライド部材は、前記開閉部材が前記閉鎖位置に位置するときに、前記被押圧部が前記開閉部材に押圧される第１位置と、前記開閉部材が前記開放位置に位置するときに、前記第１位置から前記軸線方向に移動し、前記被押圧部に対する前記開閉部材の押圧が解除される第２位置とを移動可能であり、
前記移動部材は、
前記露光部材の前記軸線方向における前記第１側壁側に配置される第１移動部材であって、前記スライド部材が前記第１位置に位置するときに起立位置に位置し、前記スライド部材が前記第２位置に位置するときに傾倒位置に位置するように構成される第１移動部材と、
前記第１移動部材から前記軸線方向に間隔を隔て、前記露光部材の前記軸線方向における前記第２側壁側に配置される第２移動部材であって、前記スライド部材が前記第１位置に位置するときに起立位置に位置し、前記スライド部材が前記第２位置に位置するときに傾倒位置に位置するように構成される第２移動部材と、を備え、
前記第１移動部材および前記第２移動部材は、
前記開閉部材の前記閉鎖位置から前記開放位置への移動に伴って、前記スライド部材が前記第１位置から前記第２位置へ移動することにより、前記起立位置から前記傾倒位置に移動し、前記露光部材を前記露光位置から前記退避位置へ移動させ、
前記開閉部材の前記開放位置から前記閉鎖位置への移動に伴って、前記スライド部材が前記第２位置から前記第１位置へ移動することにより、前記傾倒位置から前記起立位置に移動し、前記露光部材を前記退避位置から前記露光位置へ移動させることを特徴とする、画像形成装置。
【請求項２】
前記露光部材は、前記感光ドラムに対して、下方から対向するように配置され、
前記移動機構は、前記露光部材の下側に設けられていることを特徴とする、請求項１に記載の画像形成装置。
【請求項３】
前記感光ドラムは、複数色のそれぞれに対応して複数設けられ、互いに間隔を隔てて並列配置されていることを特徴とする、請求項１または２に記載の画像形成装置。
【請求項４】
前記装置本体は、前記スライド部材を前記第１位置から前記第２位置に向かって付勢する付勢部材を備えていることを特徴とする、請求項１ないし３のいずれか一項に記載の画像形成装置。
【請求項５】
前記装置本体は、前記軸線方向に延びるガイド部を備え、
前記スライド部材は、前記軸線方向と直交する方向に突出し、前記ガイド部に嵌合されるガイドボスを備えている
ことを特徴とする、請求項１ないし４のいずれか一項に記載の画像形成装置。
【請求項６】
前記装置本体は、前記軸線方向に延びるガイド部を備え、
前記スライド部材は、前記軸線方向と直交する方向に突出し、前記ガイド部に嵌合されるガイドボスを備え、
前記付勢部材は、前記ガイド部に配置され、前記ガイドボスを付勢することを特徴とする、請求項４に記載の画像形成装置。
【請求項７】
前記スライド部材は、前記軸線方向に沿って延びることを特徴とする、請求項１ないし６のいずれか一項に記載の画像形成装置。
【請求項８】
前記移動機構は、前記露光部材を保持する保持部材を備え、
前記第１移動部材および前記第２移動部材のそれぞれは、
一端部が前記装置本体に相対回転可能に固定され、他端部が前記保持部材に前記軸線方向に沿って相対移動可能であって、かつ、相対回転可能に保持されている第１リンク部材と、
前記第１リンク部材と軸部により相互に回動可能となるように、交差して軸支され、一端部が前記保持部材に相対回転可能に固定され、他端部が前記スライド部材に相対回転可能に固定されている第２リンク部材とを備えることを特徴とする、請求項１ないし７のいずれか一項に記載の画像形成装置。
【請求項９】
前記装置本体は、
前記装置本体内の前記軸線方向における前記第１側壁側に配置され、前記軸線方向に延びる第１ガイド部と、
前記第１ガイド部から前記軸線方向に間隔を隔て、前記装置本体内の前記軸線方向における前記第２側壁側に配置され、前記軸線方向に延びる第２ガイドと、を備え、
前記スライド部材は、
前記軸線方向と直交する方向に突出し、前記第１ガイド部に嵌合される第１ガイドボスと、
前記軸線方向と直交する方向に突出し、前記第２ガイド部に嵌合される第２ガイドボスと、を備え、
前記第１移動部材の前記第２リンク部材の他端部は、前記軸線方向と直交する方向から見て、前記第１ガイドボスと重なる位置において、前記スライド部材に相対回転可能に固定され、
前記第２移動部材の前記第２リンク部材の他端部は、前記軸線方向と直交する方向から見て、前記第２ガイドボスと重なる位置において、前記スライド部材に相対回転可能に固定されている
ことを特徴とする、請求項８に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、装置本体と、感光体ドラムを備え、感光体ドラムの軸線方向に沿って、装置本体に着脱可能なプロセスカートリッジと、感光体ドラムを露光するためのＬＥＤアレイヘッドとを備える画像形成装置が知られている。このような画像形成装置において、プロセスカートリッジを装置本体に対して着脱するときに、プロセスカートリッジとＬＥＤアレイヘッドとが干渉すること防止するために、ＬＥＤアレイヘッドを退避させる構成が種々検討されている。
【０００３】
例えば、ＬＥＤアレイヘッドを保持し、鉛直方向に移動可能な保持部材と、感光体ドラムの軸線方向において、保持部材に隣接配置され、感光体ドラムの軸線方向および鉛直方向の両方向と直交する方向に直動可能なブラケットとを備え、保持部材には、感光体ドラムの軸線方向に沿って突出するピンが設けられ、ブラケットには、斜め上方に向かって傾斜するテーパ部を有するガイド穴が形成されている画像形成装置が提案されている（例えば、特許文献１参照）。
【０００４】
そして、そのような画像形成装置では、ブラケットの直動により、保持部材のピンをブラケットのテーパ部の傾斜に沿って案内することにより、保持部材を鉛直方向に進退させて、ＬＥＤアレイヘッドを、感光体ドラムに近接される第１位置と、感光体ドラムから退避される第２位置とに移動させる。
【先行技術文献】
【特許文献】
【０００５】
【特許文献１】特開２００１−１７５０４６号公報
【発明の概要】
【発明が解決しようとする課題】
【０００６】
しかし、特許文献１に記載の画像形成装置では、ブラケットの直動により、保持部材のピンをブラケットのテーパ部に案内させて、ＬＥＤアレイヘッドを第１位置と第２位置とに移動させるので、ＬＥＤアレイヘッドの変位量に対応するブラケットの直動距離を確保する必要がある。そのため、直動距離を確保する分、画像形成装置の省スペース化を図ることができない。
【０００７】
そこで、本発明の目的は、露光部材の確実な移動を確保することができながら、省スペース化を図ることができる画像形成装置を提供することにある。
【課題を解決するための手段】
【０００８】
（１）上記した目的を達成するために、本発明は、内部に収容空間が区画され、開口部を介して、収容空間と外部とが連通される装置本体と、装置本体に設けられ、開口部を開放する開放位置と、開口部を閉鎖する閉鎖位置とに移動可能な開閉部材と、現像剤像を担持する感光ドラムを備え、収容空間に収容され、収容空間の内部から外部に、感光ドラムの軸線方向に沿って、引き出し可能なドラムユニットと、装置本体に設けられ、感光ドラムを露光するように感光ドラムに近接される露光位置と、感光ドラムから退避される退避位置とに移動可能な露光部材と、開閉部材の開閉動作に伴なって、軸線方向に沿ってスライド移動可能なスライド部材と、スライド部材のスライド移動により、露光部材を露光位置と退避位置とに移動させる移動部材とを備える移動機構と、を備えている。
【０００９】
移動部材は、露光部材の軸線方向両端部を、それぞれ支持するように設けられ、開閉部材の閉鎖位置から開放位置への移動に伴なう、スライド部材のスライド移動により、露光部材を露光位置から退避位置へ移動させ、開閉部材の開放位置から閉鎖位置への移動に伴なう、スライド部材のスライド移動により、露光部材を退避位置から露光位置へ移動させる。
【００１０】
このような構成によれば、スライド部材に加え、移動部材を備えているので、移動部材が露光部材を露光位置と退避位置とに移動させる変位量に対応するスライド部材の移動量を確保すれば、露光部材を露光位置と退避位置とに確実に移動させることができる。
【００１１】
そのため、移動部材を備えない構成と比較して、スライド部材の移動量の低減を図ることができる。
【００１２】
その結果、露光部材を露光位置と退避位置とに確実に移動させることができながら、画像形成装置の省スペース化を図ることができる。
【００１３】
また、移動部材は、露光部材における感光ドラムの軸線方向両端部を、それぞれ支持するように設けられているので、露光部材が移動されるときに、露光部材の両端部を同時に移動させることができる。
【００１４】
そのため、露光部材を平行に移動させることができ、露光部材がこじれることを防止できる。
【００１５】
その結果、露光部材が破損することを抑制できるとともに、露光部材と感光ドラムとの所望しない接触を防止できる。また、露光位置における露光部材と感光ドラムとの相対的な位置決め精度の向上を図ることもできる。
【００１６】
また、スライド部材が軸線方向に沿ってスライド移動することにより、移動機構が露光部材を露光位置と退避位置とに移動させるので、移動機構が、ドラムユニットや他のユニット（例えば、現像ユニット）の軸線方向に沿う装置本体に対する着脱作業時に、邪魔になることを低減できる。
（２）また、露光部材は、感光ドラムに対して、下方から対向するように配置され、移動機構は、露光部材の下側に設けられていてもよい。
【００１７】
このような構成によれば、移動部材が露光部材を露光位置から退避位置へ移動させる場合、重力により、露光部材を確実に退避位置に位置させることができる。
【００１８】
一方、移動部材が露光部材を退避位置から露光位置へ移動させる場合、移動部材が露光部材における感光ドラムの軸線方向両端部を、それぞれ支持するように設けられているので、重力に反して、露光部材を確実に露光位置に位置させることができる。
【００１９】
そのため、露光部材を露光位置と退避位置とに確実に移動させることができる。
【００２０】
また、移動機構が、露光部材に対して、感光ドラムの反対側に配置されているので、ドラムカートリッジの装置本体に対する引き出し軌跡から十分に離間されている。そのため、ドラムカートリッジの装置本体に対する円滑な引き出し作業を確保することができる。
（３）また、感光ドラムは、複数色のそれぞれに対応して複数設けられ、互いに間隔を隔てて並列配置されていてもよい。
【００２１】
このような構成によれば、感光ドラムが複数色（例えば、イエロー、マゼンタ、シアン、ブラック）のそれぞれに対応して設けられているので、フルカラーの画像を形成することができる。
【００２２】
一方、複数の感光ドラムが並列配置される場合、その並列方向において画像形成装置が大型化してしまうが、上記の構成では、移動機構が、スライド部材の感光ドラムの軸線方向に沿うスライド移動により、露光部材を露光位置と退避位置とに移動させるので、露光部材を移動させるためのスペースを複数の感光ドラムの並列方向において確保する必要がない。
【００２３】
そのため、隣り合う感光ドラムの軸間を狭くできるので、フルカラーの画像を形成することができながら、画像形成装置の小型化を図ることができる。
（４）また、スライド部材は、開閉部材が閉鎖位置に位置する状態において配置される第１位置と、開閉部材が開放位置に位置する状態において配置される第２位置とにスライド移動可能であってもよい。この場合、装置本体は、スライド部材を第１位置から第２位置に向かって付勢する付勢部材を備えている。
【００２４】
このような構成によれば、簡易な構成でありながら、開閉部材の開閉動作に伴なって、スライド部材を第１位置と第２位置とに確実にスライド移動させることができる。
【００２５】
そのため、開閉部材の開閉動作とスライド部材のスライド移動とを確実に連動させることができる。
（５）また、移動機構は、露光部材を保持する保持部材を備えていてもよい。この場合、移動部材は、一端部が装置本体に相対回転可能に固定され、他端部が保持部材に軸線方向に沿って相対移動可能であって、かつ、相対回転可能に保持されている第１リンク部材と、第１リンク部材と軸部により相互に回動可能となるように、交差して軸支され、一端部が保持部材に相対回転可能に固定され、他端部がスライド部材に相対回転可能に固定されている第２リンク部材とを備えている。
【００２６】
このような構成によれば、開閉部材の閉鎖位置から開放位置への移動に伴なう、スライド部材のスライド移動により、第１リンク部材と第２リンク部材とが形成する、保持部材側の交差角の角度が大きくなるように、第１リンク部材および第２リンク部材が傾倒され、露光部材を露光位置から退避位置へ移動させる。
【００２７】
一方、開閉部材の開放位置から閉鎖位置への移動に伴なう、スライド部材のスライド移動により、第１リンク部材と第２リンク部材とが形成する、保持部材側の交差角の角度が小さくなるように、第１リンク部材および第２リンク部材が起立され、露光部材を退避位置から露光位置へ移動させる。
【００２８】
そのため、スライド部材の移動量に対して、移動部材の変位量をより多く確保することができる。
【００２９】
その結果、スライド部材の移動量を低減しても、露光部材を露光位置と退避位置とに確実に移動させることができる。
【００３０】
また、第１リンク部材の他端部が保持部材に保持され、第２リンク部材の一端部が保持部材に固定されている。そのため、露光部材を保持する保持部材は、第１リンク部材と第２リンク部材とに支持されている。その結果、その他に装置本体側に露光部材のガイドなどを設けなくても、露光部材を退避位置と露光位置とに移動させることができる。
【００３１】
従って、画像形成装置のさらなる省スペース化を図ることができる。
【発明の効果】
【００３２】
本発明の画像形成装置では、露光部材の確実な移動を確保することができながら、省スペース化を図ることができる。
【図面の簡単な説明】
【００３３】
【図１】本発明の画像形成装置の一実施形態としてのカラープリンタを示す中央断面図である。
【図２】図１に示すカラープリンタのＡ−Ａ断面図である。
【図３】図２に示す移動機構を前上側から見た斜視図である。
【図４】図３に示す移動機構の分解斜視図を示す。
【図５】（ａ）は、図１に示すドラムユニットの本体ケーシングからの引き出し（離脱）動作を説明するための説明図を示し、（ｂ）は、本体側ガイド部の拡大図を示す。
【発明を実施するための形態】
【００３４】
１．プリンタの全体構成
図１および図２に示すように、画像形成装置の一例としてのプリンタ１は、中間転写型カラープリンタである。
【００３５】
また、プリンタ１は、装置本体の一例としての本体ケーシング２と、原稿の画像情報を読み取るフラットベッドスキャナ３とを一体的に備える複合機である。
（１）本体ケーシング
本体ケーシング２は、略ボックス形状に形成されており、その一方側壁には、開口部の一例としての本体開口部４が形成されている。また、本体ケーシング２は、本体開口部４を開閉する開閉部材の一例としてのフロントカバー５が、その下端部を支点として、本体開口部４を閉鎖する閉鎖位置（図２参照）と、本体開口部４を開放する開位置（図５参照）とに揺動（移動）可能に設けられている。
【００３６】
なお、以下の説明において、フロントカバー５が設けられる側（図２における紙面左側）を前側とし、その反対側（図２における紙面右側）を後側とする。また、プリンタ１を前側から見たときを左右の基準とする。
【００３７】
すなわち、図１において、紙面左側が左側であり、紙面右側が右側である。また、紙面手前側が前側であり、紙面奥側が後側である。
【００３８】
本体ケーシング２は、用紙Ｐを給紙するための給紙部６と、給紙された用紙Ｐに画像を形成するための画像形成部７と、画像が形成された用紙Ｐを排紙するための排紙部８とを備えている。
（２）給紙部
給紙部６は、本体ケーシング２の底部に設けられ、用紙Ｐを収容する給紙トレイ９を着脱可能に備えている（図５（ａ）参照）。
【００３９】
給紙トレイ９内の用紙Ｐは、各種ローラによって１枚ずつ搬送され、所定のタイミングで、画像形成部７（中間転写ベルト２４（後述）と二次転写ローラ２１（後述）との間）に給紙される。
（３）画像形成部
画像形成部７は、給紙部６の上側に配置されており、ドラムユニット１０と、複数（４つ）の現像ユニット１１と、複数（４つ）のＬＥＤユニット１２と、転写ユニット１３と、定着ユニット１４とを備えている。
（３−１）ドラムユニット
ドラムユニット１０は、本体ケーシング２に対して、前後方向に沿って引き出し可能に装着されている（図５（ａ）参照）。
【００４０】
ドラムユニット１０は、１対のドラムフレーム３２と、感光ドラム１５と、スコロトロン型帯電器１６とを備えている。
【００４１】
１対のドラムフレーム３２は、左右方向に長手の略平板形状に形成され、前後方向に間隔を隔てて対向配置されている（図２参照）。
【００４２】
また、ドラムフレーム３２には、その下側部分において、複数の現像ユニット１１のそれぞれに対応して着脱溝４６が形成されている。
【００４３】
着脱溝４６は、前後方向に投影したときに、現像ユニット１１の上端部と重なる部分が、切り欠かれて形成されている。
【００４４】
感光ドラム１５は、複数色（ブラック、イエロー、マゼンタ、シアン）に対応して、複数（４つ）設けられ、左右方向に互いに間隔を隔てて並列配置されている。
【００４５】
感光ドラム１５は、前後方向（軸線方向）に延びる略円筒形状に形成されており、その前後両端部が、１対のドラムフレーム３２に回転可能に支持されている。
【００４６】
スコロトロン型帯電器１６は、複数の感光ドラム１５のそれぞれに対応して設けられ、感光ドラム１５の右側において、感光ドラム１５に間隔を隔てて対向配置されるように、ドラムフレーム３２に支持されている。
（３−２）現像ユニット
複数の現像ユニット１１のそれぞれは、対応する感光ドラム１５の左下側に対向配置されている。また、現像ユニット１１は、現像ローラ１７を備えている。
【００４７】
現像ローラ１７は、現像ユニット１１の上端において、上側から露出されるように回転可能に支持されており、対応するドラムユニット１０の感光ドラム１５に対して左下側から接触されている。
【００４８】
なお、現像ユニット１１は、現像ローラ１７にトナーを供給する供給ローラ１８、現像ローラ１７に供給されたトナーの厚みを規制する層厚規制ブレード１９を備えている。また、現像ユニット１１には、供給ローラ１８の下側において、現像剤の一例としてのトナーが収容されている。
【００４９】
また、複数の現像ユニット１１のうち、最も左側に配置される現像ユニット１１は、中間転写ベルト２４（後述）の表面に残存したトナー（廃トナー）を収容するための廃トナー収容部４４を備えている。
（３−２）ＬＥＤユニット
複数のＬＥＤユニット１２のそれぞれは、対応する感光ドラム１５の下側において、感光ドラム１５と上下方向に対向するように配置されている。ＬＥＤユニット１２は、所定の画像データに基づいて、対応する感光ドラム１５の表面を露光する。
（３−３）転写ユニット
転写ユニット１３は、ベルトユニット２０と二次転写ローラ２１とを備えている。
【００５０】
ベルトユニット２０は、すべての感光ドラム１５に上側から対向するように、左右方向に沿って配置されている。
【００５１】
ベルトユニット２０は、駆動ローラ２２、従動ローラ２３、中間転写ベルト２４、および、複数（４つ）の一次転写ローラ２５と、ベルトクリーナ３７とを備えている。
【００５２】
駆動ローラ２２および従動ローラ２３は、左右方向に間隔を隔てて対向配置されている。
【００５３】
中間転写ベルト２４は、その下側部分がすべての感光ドラム１５に接触されるように、駆動ローラ２２および従動ローラ２３の周りに掛け渡されている。また、中間転写ベルト２４は、駆動ローラ２２の駆動および従動ローラ２３の従動により、その下側部分が左側から右側に向かって移動するように、周回移動される。
【００５４】
複数の一次転写ローラ２５のそれぞれは、対応する感光ドラム１５に対して、中間転写ベルト２４の下側部分を挟んで対向するように設けられている。
【００５５】
ベルトクリーナ３７は、中間転写ベルト２４の左端部上側に設けられ、ベルトクリーニングローラ３８と、対向ローラ３９と、中継ローラ４０と、掻き取りブレード４１と、廃トナー貯留部４２とを備えている。
【００５６】
中間転写ベルト２４の表面に残存したトナー（廃トナー）は、ベルトクリーニングローラ３８によってクリーニングされ、一旦、中継ローラ４０に保持された後、掻き取りブレード４１で掻き取られることにより、廃トナー貯留部４２内に貯留される。なお、廃トナー貯留部４２は、搬送パイプ４３を介して、廃トナー収容部４４と連結されており、廃トナー貯留部４２内に貯留された廃トナーは、搬送パイプ４３を介して、廃トナー収容部４４内に搬送される。
【００５７】
二次転写ローラ２１は、ベルトユニット２０の駆動ローラ２２と、中間転写ベルト２４を挟んで対向するように、ベルトユニット２０の右側に設けられている。
（３−４）定着ユニット
定着ユニット１４は、二次転写ローラ２１の上側に配置され、加熱ローラ２６、および、加熱ローラ２６に対向する加圧ローラ２７を備えている。
（３−５）画像形成動作
（３−５−１）現像動作
現像ユニット１１内のトナーは、供給ローラ１８に供給され、さらに、現像ローラ１７に供給される。
【００５８】
現像ローラ１７に供給されたトナーは、現像ローラ１７の回転に伴って、供給ローラ１８と現像ローラ１７との間で正極性に摩擦帯電され、層厚規制ブレード１９によって厚さが規制されて、一定厚さの薄層として現像ローラ１７の表面に担持される。
【００５９】
一方、感光ドラム１５の表面は、感光ドラム１５の回転に伴って、スコロトロン型帯電器１６により一様に正帯電された後、ＬＥＤユニット１２により露光される。これにより、用紙Ｐに形成すべき画像に対応した静電潜像が感光ドラム１５の表面に形成される。
【００６０】
感光ドラム１５がさらに回転すると、現像ローラ１７の表面に担持されているトナーが、感光ドラム１５の静電潜像に供給される。これにより、感光ドラム１５の表面には、反転現像によるトナー像が担持される。
（３−５−２）転写・定着動作
感光ドラム１５の表面に担持されたトナー像は、左側から右側へ移動される中間転写ベルト２４の下側部分に一次転写される。
【００６１】
中間転写ベルト２４に転写されたトナー像は、中間転写ベルト２４が二次転写ローラ２１との対向位置を通過する間に、給紙部６から供給される用紙Ｐに、二次転写される。
【００６２】
そして、用紙Ｐに転写されたトナー像は、定着ユニット１４において、用紙Ｐが加熱ローラ２６と加圧ローラ２７との間を通過する間に、加熱および加圧されることによって用紙Ｐに熱定着される。
（４）排紙部
本体ケーシング２の上面には、用紙Ｐが排紙される排紙トレイ２８が形成されている。そして、排紙部８は、本体ケーシング２の右側上端部において、排紙トレイ２８よりも上側へ突出するように形成されている。
【００６３】
排紙部８には、排紙トレイ２８よりも上側において、用紙Ｐを排紙する排紙口２９が形成されている。また、排紙部８は、排紙口２９内において、用紙Ｐを排紙トレイ２８へ搬送する複数（３つ）の排紙ローラ３０を備えている。
【００６４】
定着ユニット１４においてトナー像が定着された用紙Ｐは、各排紙ローラ３０によって、排紙トレイ２８上に排紙される。
（５）フラットベッドスキャナ
フラットベッドスキャナ３は、排紙トレイ２８の上方に間隔を隔てて、排紙部８の上端部に支持されている。
２．本体ケーシング
本体ケーシング２は、図２に示すように、プリンタ１の外形を構成する外側ケーシング３３と、外側ケーシング３３の内側に設けられる内側ケーシング３４とを備えている。
【００６５】
外側ケーシング３３は、側面視略矩形状の略ボックス形状に形成されており、前端部において、フロントカバー５を備えている。
【００６６】
内側ケーシング３４は、側面視略矩形状の略ボックス形状に形成されている。また、内側ケーシング３４は、給紙部６（図１参照）および画像形成部７を収容可能な上下方向長さおよび左右方向長さを有し、後側において外側ケーシング３３と間隔を隔てるように、外側ケーシング３３内に収容されている。
【００６７】
内側ケーシング３４内には、ドラムユニット１０を収容する収容空間の一例としてのドラムユニット収容部３６が区画されている。
【００６８】
ドラムユニット収容部３６は、図１に示すように、ベルトユニット２０の下側において、ドラムユニット１０を受け入れ可能な側面視略矩形状に形成されている。
【００６９】
また、内側ケーシング３４内には、図２に示すように、ＬＥＤユニット１２を支持するＬＥＤ支持フレーム３５を備えている。
【００７０】
ＬＥＤ支持フレーム３５は、略平板形状に形成され、内側ケーシング３４の内部空間を区画するように、給紙トレイ９の上側に設けられている。
【００７１】
ＬＥＤ支持フレーム３５には、本体側ガイド部９９と、本体側嵌合部１００とが設けられている。
【００７２】
本体側ガイド部９９は、図３に示すように、ＬＥＤ支持フレーム３５（図２参照）の前側部分において、左右方向に間隔を隔てて対向するように設けられる２つの前側の本体側ガイド部９９と、ＬＥＤ支持フレーム３５（図２参照）の後側部分において、左右方向に間隔を隔てて対向するように設けられる２つの後側の本体側ガイド部９９とを備えている。
【００７３】
具体的には、前側の本体側ガイド部９９は、スライド部材６１（後述）の第１ガイドボス７６（後述）に対応して設けられ、後側の本体側ガイド部９９は、スライド部材６１（後述）の第２ガイドボス８０（後述）に対応して設けられている。そして、前側の本体側ガイド部９９と、後側の本体側ガイド部９９とは、前後方向に一致するように配置されている。
【００７４】
本体側ガイド部９９は、前後方向に長手の側面視略Ｕ字状に形成され、その遊端部がＬＥＤ支持フレーム３５の上面に固定されている。
【００７５】
本体側ガイド部９９の内寸は、前後方向長さが、第１ガイドボス７６（第２ガイドボス８０）（後述）の外径に対して、略３倍の長さに形成され、上下方向長さが、第１ガイドボス７６（第２ガイドボス８０）（後述）の外径と略同じ長さに形成されている。
【００７６】
また、第１ガイドボス７６（後述）に対応する前側の本体側ガイド部９９内には、図５（ｂ）に示すように、付勢部材の一例としての圧縮ばね１０１と、被覆部１０２とが設けられている。
【００７７】
被覆部１０２は、前後方向に延びる略円筒形状に形成され、その前端部が閉鎖されている。被覆部１０２は、圧縮ばね１０１の前側部分を内部に収容するように配置されている。
【００７８】
圧縮ばね１０１は、前後方向に延びる空心コイル状に形成され、その後端部が、本体側ガイド部９９の後端部に固定され、その前端部が、被覆部１０２の前壁の後面に固定されている。なお、圧縮ばね１０１および被覆部１０２は、さらに、第２ガイドボス８０（後述）に対応する後側の本体側ガイド部９９内に設けることもできる。
【００７９】
本体側嵌合部１００は、図３に示すように、２つの前側の本体側ガイド部９９の後方において、左右方向に間隔を隔てて対向するように設けられる２つの前側の本体側嵌合部１００と、２つの後側の本体側ガイド部９９の後方において、左右方向に間隔を隔てて対向するように設けられる２つの後側の本体側嵌合部１００とを備えている（図２参照）。
【００８０】
具体的には、前側の本体側嵌合部１００は、前側の移動部材６２Ｆ（後述）における後側の第１嵌合部８６（後述）に対応して設けられ、後側の本体側嵌合部１００は、後側の移動部材６２Ｒ（後述）における後側の第１嵌合部８６（後述）に対応して設けられている。
【００８１】
本体側嵌合部１００は、ＬＥＤ支持フレーム３５の上面から上方に向かって膨出する側面視略半円弧形状に形成され、左右方向に厚みを有する略平板形状に形成されている。
【００８２】
本体側嵌合部１００には、その中央部分に嵌合穴１０３が形成されている。
【００８３】
嵌合穴１０３は、側面視略円形状に形成され、左右方向に貫通形成されている。
【００８４】
嵌合穴１０３の穴径は、第１嵌合部８６（後述）の外径と略同径に形成されている。
３．ＬＥＤユニット
ＬＥＤユニット１２は、露光部材の一例としてのＬＥＤアレイ５０と、ＬＥＤアレイ５０を支持する第１フレーム５１と、第１フレーム５１を挟持する１対の第２フレーム５２（図１参照）と、ＬＥＤアレイ５０を移動させるための移動機構６０とを備えている。
（１）ＬＥＤアレイ、第１フレームおよび第２フレーム
ＬＥＤアレイ５０は、ＬＥＤユニット１２の上端部に配置されている。ＬＥＤアレイ５０は、前後方向に延びる略平板状に形成され、前後方向に並列配置される多数のＬＥＤを一体的に保持している。ＬＥＤアレイ５０の前後方向長さは、感光ドラム１５の前後方向長さよりも短く、感光ドラム１５の通紙領域の前後方向長さよりも長く形成されている。
【００８５】
第１フレーム５１は、ＬＥＤアレイ５０の下側に配置されている。第１フレーム５１は、前後方向に長手の側面視略矩形状に形成されている。第１フレーム５１の前後方向長さは、感光ドラム１５の前後方向長さよりも短く、ＬＥＤアレイ５０の前後方向長さよりも長く形成されている。第１フレーム５１は、その上端部において、ＬＥＤアレイ５０を支持している。
【００８６】
また、第１フレーム５１には、複数（２つ）の位置決めころ５３と、複数（２つ）の圧縮ばね５４とが設けられている。
【００８７】
複数の位置決めころ５３のそれぞれは、略円板形状に形成され、第１フレーム５１の前後両端面に回転可能に支持されている。また、位置決めころ５３は、ＬＥＤアレイ５０よりも上方に向かって僅かに突出するように設けられ、感光ドラム１５の左右両端部に下側から当接されている。
【００８８】
複数の圧縮ばね５４のそれぞれは、空心コイル状に形成され、第１フレーム５１の下面における前後両端部に配置されている。
【００８９】
また、圧縮ばね５４は、その上端部が第１フレーム５１の下面に固定され、その下端部が保持部材６３（後述）の上面に固定されている。
【００９０】
１対の第２フレーム５２は、図１および図２に示すように、前後方向に長手の略平板形状に形成され、第１フレーム５１を左右両側から挟むように、左右方向に間隔を隔てて対向配置されている。
【００９１】
これにより、第１フレーム５１は、１対の第２フレーム５２間において、上下方向に弾性的にスライド移動可能である。
【００９２】
そして、常には、第１フレーム５１は、圧縮ばね５４により、上方に向かって付勢され、位置決めころ５３が感光ドラム１５に当接されている。
【００９３】
これにより、ＬＥＤアレイ５０は、位置決めころ５３により、感光ドラム１５に対して間隔（位置決めころ５３の突出長さに相当する間隔）を隔てて、下方から対向するように位置決めされている。
（２）移動機構
移動機構６０は、図２に示すように、１対の第２フレーム５２の下側、すなわち、ＬＥＤアレイ５０の下側に設けられ、保持部材６３と、スライド部材６１と、移動部材６２とを備えている。
（２−１）保持部材
保持部材６３は、前後方向に長手の略杆状に形成され、第２フレーム５２および圧縮ばね５４を下側から支持している（図３参照）。すなわち、保持部材６３は、第１フレーム５１および第２フレーム５２を介して、ＬＥＤアレイ５０を保持している。
【００９４】
また、保持部材６３の下面には、ＬＥＤ側ガイド部９７と、ＬＥＤ側嵌合部９８とが設けられている。
【００９５】
ＬＥＤ側ガイド部９７は、図３に示すように、保持部材６３（図２参照）の下面における前側部分において、左右方向に間隔を隔てて対向するように設けられる２つの前側のＬＥＤ側ガイド部９７と、保持部材６３（図２参照）の下面における後側部分において、左右方向に間隔を隔てて対向するように設けられる２つの後側のＬＥＤ側ガイド部９７とを備えている。
【００９６】
具体的には、前側のＬＥＤ側ガイド部９７は、前側の移動部材６２Ｆ（後述）における前側の第１嵌合部８６（後述）に対応して設けられ、後側のＬＥＤ側ガイド部９７は、後側の移動部材６２Ｒ（後述）における前側の第１嵌合部８６（後述）に対応して設けられている。
【００９７】
ＬＥＤ側ガイド部９７は、保持部材６３の下面から下方に向かって突出する側面視略矩形状に形成され、左右方向に厚みを有する略平板形状に形成されている。
【００９８】
また、ＬＥＤ側ガイド部９７は、上下方向に投影したときに、本体側ガイド部９９と一致するように配置されている。
【００９９】
ＬＥＤ側ガイド部９７には、その中央部分にガイド穴１０５が形成されている。
【０１００】
ガイド穴１０５は、前後方向に長手の側面視略楕円形状に形成され、左右方向に貫通形成されている。
【０１０１】
ガイド穴１０５は、その長径が、第１嵌合部８６（後述）の外径に対して、略３倍の長さに形成され、その短径が、第１嵌合部８６（後述）の外径と略同径に形成されている。
【０１０２】
ＬＥＤ側嵌合部９８は、２つの前側のＬＥＤ側ガイド部９７の後方において、左右方向に間隔を隔てて対向するように設けられる２つの前側のＬＥＤ側嵌合部９８と、２つの後側のＬＥＤ側ガイド部９７の後方において、左右方向に間隔を隔てて対向するように設けられる２つの後側のＬＥＤ側嵌合部９８とを備えている（図２参照）。
【０１０３】
具体的には、前側のＬＥＤ側嵌合部９８は、前側の移動部材６２Ｆ（後述）における第２嵌合部９０（後述）の左右両端部に対応して設けられ、後側のＬＥＤ側嵌合部９８は、後側の移動部材６２Ｒ（後述）における第２嵌合部９０（後述）の左右両端部に対応して設けられている。
【０１０４】
ＬＥＤ側嵌合部９８は、保持部材６３の下面から下方に向かって膨出する側面視略半円弧形状に形成され、左右方向に厚みを有する略平板形状に形成されている。
【０１０５】
また、ＬＥＤ側嵌合部９８は、上下方向に投影したときに、本体側嵌合部１００と一致するように配置されている。
【０１０６】
ＬＥＤ側嵌合部９８には、その中央部分に嵌合穴１０６が形成されている。
【０１０７】
嵌合穴１０６は、側面視略円形状に形成され、左右方向に貫通形成されている。
【０１０８】
嵌合穴１０６の穴径は、第２嵌合部９０（後述）の外径と略同径に形成されている。
（２−２）スライド部材
スライド部材６１は、前後方向に長手の略杆状に形成され、本体ケーシング２に対して、前後方向に沿ってスライド移動可能となるように、ＬＥＤ支持フレーム３５の上面に配置されている。
【０１０９】
詳しくは、スライド部材６１は、図４に示すように、被押圧部６５と、第１係合部６７と、連結部６９と、本体部７３と、第２係合部６８とから一体的に形成されている。
【０１１０】
被押圧部６５は、スライド部材６１の前端部に設けられ、側面視略Ｌ字状に形成されている。
【０１１１】
第１係合部６７は、前側の移動部材６２Ｆ（後述）の第２リンク部材８３（後述）の前端部に対応するように、被押圧部６５の後側に連続して設けられている。
【０１１２】
また、第１係合部６７は、１対の第１支持部７０と、傾斜部７１とを備えている。
【０１１３】
１対の第１支持部７０は、被押圧部６５の後端部における左右方向両端部から、後方に向かって突出する略平板形状に形成されており、左右方向に間隔を隔てて対向配置されている。
【０１１４】
また、１対の第１支持部７０のそれぞれは、その前端部において、挿通穴７５および第１ガイドボス７６を有している。
【０１１５】
挿通穴７５は、相対向する側面視略円形状に形成され、左右方向に貫通形成されている。挿通穴７５の穴径は、挿通軸９４（後述）の外径と略同径に形成されている。
【０１１６】
第１ガイドボス７６は、挿通穴７５の周端部から左右方向外方へ突出する略円筒形状に形成されている。
【０１１７】
また、傾斜部７１は、挿通穴７５（第１ガイドボス７６）よりも後側における１対の第１支持部７０間に設けられ、側面視略三角形状に形成されている。詳しくは、傾斜部７１の上面が、後方に向かうに従って上方に傾斜するように形成されている。
【０１１８】
連結部６９は、傾斜部７１の後端部から後方に向かって延びる略平板形状に形成され、断面形状が上下方向に長く形成されている。
【０１１９】
本体部７３は、前後方向に長手の略杆状に形成され、その前端部が前方に向かって膨出する側面視略半円弧形状に形成されている。そして、本体部７３は、その前端部における左右方向中央部分が、連結部６９の後端部と連結されている。
【０１２０】
第２係合部６８は、後側の移動部材６２Ｒ（後述）における第２リンク部材８３（後述）の前端部に対応するように、本体部７３の後側に連続して設けられている。
【０１２１】
また、第２係合部６８は、１対の第２支持部７８を備えている。
【０１２２】
１対の第２支持部７８は、本体部７３の後端部における左右方向両端部から、後方に向かって突出する略平板形状に形成されており、左右方向に間隔を隔てて対向配置されている。
【０１２３】
また、１対の第２支持部７８のそれぞれは、その中央部分において、挿通穴７９および第２ガイドボス８０を有している。
【０１２４】
挿通穴７９は、相対向する側面視略円形状に形成され、左右方向に貫通形成されている。
【０１２５】
第２ガイドボス８０は、挿通穴７９の周端部から左右方向外方へ突出する略円筒形状に形成されている。第２ガイドボス８０の外径は、第１ガイドボス７６の外径と略同径に形成されている。
（２−３）移動部材
移動部材６２は、図２に示すように、パンタグラフ機構であって、前側の移動部材６２（以下、移動部材６２Ｆとする。）と、後側の移動部材６２（以下、移動部材６２Ｒとする。）とを備えている。
【０１２６】
前側の移動部材６２Ｆは、上下方向に投影したときに、ＬＥＤアレイ５０の前端部と一致するように設けられ、後側の移動部材６２Ｒは、上下方向に投影したときに、ＬＥＤアレイ５０の後端部と一致するように設けられている。すなわち、複数（２つ）の移動部材６２は、ＬＥＤアレイ５０の前後両端部を、保持部材６３（後述）の前後両端部を介して、それぞれ支持するように設けられている。
【０１２７】
移動部材６２は、図４に示すように、１対の第１リンク部材８２と、第２リンク部材８３とを備えている。
【０１２８】
１対の第１リンク部材８２は、左右方向に間隔を隔てて対向配置されている。
【０１２９】
１対の第１リンク部材８２のそれぞれは、左右方向外方に向かって開放される平面視略コ字状に形成され、第１平板部８５と、２つの第１嵌合部８６とを備えている。
【０１３０】
第１平板部８５は、略平板形状に形成され、断面形状が上下方向に長く形成されている。
第１平板部８５の中央部分には、貫通穴８７が形成されている。
【０１３１】
貫通穴８７は、側面視略円形状に形成され、左右方向に貫通形成されている。貫通穴８７の穴径は、軸部９５（後述）の外径と略同径に形成されている。
【０１３２】
２つの第１嵌合部８６は、第１平板部８５の前後両端部にそれぞれ設けられており、第１平板部８５の左右方向外側面から、左右方向外方に突出する略円柱形状に形成されている。
【０１３３】
第２リンク部材８３は、平面視略Ｔ字状に形成され、第２平板部８９と、第２嵌合部９０とを備えている。
【０１３４】
第２平板部８９は、略平板形状に形成されており、断面形状が上下方向に長く形成されている。第２平板部８９の長手方向長さは、第１平板部８５の長手方向長さと略同じ長さに形成されている。
【０１３５】
また、第２平板部８９には、貫通口９１および挿通口９２が形成されている。
【０１３６】
貫通口９１は、第２平板部８９の中央部分において、側面視略円形状に貫通形成されている。貫通口９１の穴径は、軸部９５（後述）の外径よりも僅かに大径に形成されている。
【０１３７】
挿通口９２は、第２平板部８９の前端部において、側面視略円形状に貫通形成されている。挿通口９２の穴径は、挿通軸９４（後述）の外径よりも僅かに大径に形成されている。
【０１３８】
第２嵌合部９０は、左右方向に延びる略円柱形状に形成され、その前下側における左右方向中央部分が、第２平板部８９の後端部と連結されている。
【０１３９】
そして、１対の第１リンク部材８２と第２リンク部材８３とは、図３に示すように、第２平板部８９が、１対の第１平板部８５の間に側面視略Ｘ字状になるように、第１平板部８５に対して交差して配置され、２つの貫通穴８７および貫通口９１に、略円柱状の軸部９５が挿通されることにより、相互に回動可能に連結されている（図４参照）。すなわち、１対の第１リンク部材８２と第２リンク部材８３とは、軸部９５により、相互に回動可能となるように、交差して軸支されている。
【０１４０】
また、前側の移動部材６２Ｆにおいて、第２平板部８９の前端部は、１対の第１支持部７０の間に配置され、２つの第１ガイドボス７６、２つの挿通穴７５および挿通口９２に、略円柱形状の挿通軸９４が挿通されることにより、第１係合部６７に相対回転可能に固定されている。また、前側の移動部材６２Ｆにおいて、１対の第１平板部８５の後端部は、連結部６９を左右方向両側から挟むように配置されている。
【０１４１】
また、後側の移動部材６２Ｒにおいて、第２平板部８９の前端部は、１対の第２支持部７８の間に配置され、２つの第２ガイドボス８０、２つの挿通穴７９および挿通口９２に、略円柱形状の挿通軸９４が挿通されることにより、第２係合部６８に相対回転可能に固定されている。
【０１４２】
これにより、２つの第２リンク部材８３の前端部が、スライド部材６１に相対回転可能に固定されており、前側の移動部材６２Ｆおよび後側の移動部材６２Ｒと、スライド部材６１とは、連結されている。
【０１４３】
このようなスライド部材６１および移動部材６２は、図２に示すように、保持部材６３およびＬＥＤ支持フレーム３５に保持されている。
【０１４４】
詳しくは、第１リンク部材８２の前側（上側）の第１嵌合部８６が、対応するＬＥＤ側ガイド部９７のガイド穴１０５に左右方向内側から嵌合されるとともに、第１リンク部材８２の後側（下側）の第１嵌合部８６が、対応する本体側嵌合部１００の嵌合穴１０３に左右方向内側から嵌合されている。
【０１４５】
これにより、前側の第１嵌合部８６が、ＬＥＤ側ガイド部９７に前後方向に沿って移動可能であって、かつ、相対回転可能に保持され、後側の第１嵌合部８６が、本体側嵌合部１００に相対回転可能に固定されている。
【０１４６】
すなわち、２つの第１リンク部材８２は、その後端部が、本体ケーシング２に相対回転可能に固定され、その前端部が、保持部材６３に前後方向に沿って移動可能であって、かつ、相対回転可能に保持されている。
【０１４７】
また、スライド部材６１の第１ガイドボス７６および第２ガイドボス８０のそれぞれが、対応する本体側ガイド部９９に左右方向内側から嵌合されるとともに、第２リンク部材８３の第２嵌合部９０の左右両端部のそれぞれが、対応するＬＥＤ側嵌合部９８の嵌合穴１０６に左右方向内側から嵌合されている。
【０１４８】
これにより、第１ガイドボス７６および第２ガイドボス８０のそれぞれが、本体側ガイド部９９に前後方向に沿って移動可能に保持され、第２嵌合部９０の左右両端部のそれぞれが、ＬＥＤ側嵌合部９８に相対回転可能に固定されている。
【０１４９】
すなわち、２つの第２リンク部材８３は、その後端部が、保持部材６３に相対回転可能に固定され、その前端部が、本体ケーシング２に対して、前後方向に沿って移動可能に保持されている。
【０１５０】
これにより、保持部材６３の前後両端部は、前側の移動部材６２Ｆおよび後側の移動部材６２Ｒのそれぞれにより、下側から支持されている。
【０１５１】
また、スライド部材６１は、フロントカバー５が閉鎖位置にある状態において、被押圧部６５の前端部がフロントカバー５の後面と当接するように配置される第１位置（図２参照）と、フロントカバー５が開放位置にある状態において、被押圧部６５の前端部が本体ケーシング２から外部に突出するように配置される第２位置（図５（ａ）参照）とに、前後方向に沿ってスライド可能に設けられている。すなわち、スライド部材６１は、フロントカバー５の開閉動作に伴なって、前後方向に沿ってスライド移動可能である。
【０１５２】
また、スライド部材６１は、図５（ｂ）に示すように、圧縮ばね１０１が、被覆部１０２を介して、第１ガイドボス７６（第２ガイドボス８０）を前方に向かって付勢することにより、常には、第２位置に配置されるように、前方へ向かって付勢されている。すなわち、圧縮ばね１０１は、スライド部材６１を、第１位置から第２位置に向かって付勢している。
【０１５３】
そして、移動部材６２は、図２に示すように、スライド部材６１が第１位置に配置された状態において、第１平板部８５と第２平板部８９とが形成する交差角θ（保持部材６３側に形成される角）の角度が、例えば、６０〜１２０°となるように起立する起立位置に配置される。このとき、ＬＥＤアレイ５０は、位置決めころ５３が感光ドラム１５に当接され、感光ドラム１５を露光するように感光ドラム１５に近接される露光位置に配置される。
【０１５４】
また、移動部材６２は、スライド部材６１が第２位置に配置された状態において、起立位置における角度よりも、交差角θの角度が大きくなるように、ＬＥＤ支持フレーム３５側に傾倒する傾倒位置に配置される。このとき、ＬＥＤアレイ５０は、位置決めころ５３が感光ドラム１５から離間され、感光ドラム１５から退避される退避位置（図５（ａ）参照）に配置される。
【０１５５】
すなわち、移動部材６２は、スライド部材６１のスライド移動により、ＬＥＤアレイ５０を、露光位置と退避位置とに移動させる。
【０１５６】
なお、傾倒位置における交差角θは、例えば、１４０〜１７０°である。また、傾倒位置において、前側の移動部材６２Ｆにおける第２平板部８９の下端部は、傾斜部７１と接触している。
４．ドラムユニットの本体ケーシングに対する着脱
次に、ドラムユニット１０の本体ケーシング２に対する着脱を説明する。
【０１５７】
スライド部材６１は、図２に示すように、フロントカバー５が閉鎖位置に位置する状態において、被押圧部６５が、フロントカバー５の後面により、圧縮ばね１０１（図５（ｂ）参照）の付勢力に抗して後方に向けて押圧されて、第１位置に配置される。
【０１５８】
このとき、移動部材６２は起立位置に配置され、ＬＥＤアレイ５０は露光位置に配置される。
【０１５９】
そして、本体ケーシング２に装着されたドラムユニット１０を、本体ケーシング２から引き出す（離脱させる）には、図５（ａ）に示すように、まず、フロントカバー５を閉鎖位置（図２参照）から開放位置へ移動させて、本体開口部４を開放し、本体開口部４を介して、ドラムユニット収容部３６と本体ケーシング２の外部とを連通させる。
【０１６０】
そうすると、スライド部材６１に対するフロントカバー５による押圧が解除され、第１ガイドボス７６が、圧縮ばね１０１の付勢力により、前方に向かって押圧されて、第１ガイドボス７６および第２ガイドボス８０のそれぞれが、対応する本体側ガイド部９９に前後方向に沿ってガイドされる。これにより、スライド部材６１が、前方に向かって移動され、第１位置から第２位置へと前後方向に沿ってスライド移動する。
【０１６１】
このとき、前側の移動部材６２Ｆにおける第２平板部８９の前端部が、第１ガイドボス７６の移動とともに前方に移動され、後側の移動部材６２Ｒにおける第２平板部８９の前端部が、第２ガイドボス８０の移動とともに前方に移動される。
【０１６２】
そうすると、第１リンク部材８２における前側の第１嵌合部８６が、対応するガイド穴１０５（図３参照）内において、ＬＥＤ側ガイド部９７に対して、相対回転するとともに、前方に移動される。
【０１６３】
このとき、後側の第１嵌合部８６が、対応する嵌合穴１０３（図３参照）内において回転し、第２リンク部材８３における第２嵌合部９０が、対応する嵌合穴１０６（図２参照）内において回転する。
【０１６４】
これにより、移動部材６２は、起立位置から傾倒位置へと移動される。
【０１６５】
そうすると、前側の移動部材６２ＦがＬＥＤアレイ５０の前端部を、後側の移動部材６２ＲがＬＥＤアレイ５０の後端部を、それぞれ同時に下方に向かって移動させる。これにより、移動部材６２は、ＬＥＤアレイ５０の前後両端部を同時に移動させるので、ＬＥＤアレイ５０を、露光位置から退避位置へ平行に移動させる。
【０１６６】
すなわち、移動部材６２は、フロントカバー５の閉鎖位置から開放位置への移動に伴なう、スライド部材６１のスライド移動により、ＬＥＤアレイ５０を露光位置から退避位置へ移動させる。
【０１６７】
その後、ユーザが、ドラムユニット１０を前方に引き出すように力を加えると、ドラムユニット１０は、下方に移動した後、前方に移動され、本体開口部４を介して、ドラムユニット収容部３６から外部に、前後方向に沿って引き出される。このとき、ドラムユニット１０は、ドラムフレーム３２の着脱溝４６が、現像ユニット１１の上端部を通過するように移動される。
【０１６８】
そして、ユーザが、さらに、ドラムユニット１０を前方に引き出すと、ドラムユニット１０は、本体ケーシング２から離脱される。
【０１６９】
これにより、ドラムユニット１０の本体ケーシング２からの離脱が完了する。
【０１７０】
次いで、ドラムユニット１０の本体ケーシング２への装着を説明する。
【０１７１】
ドラムユニット１０を本体ケーシング２のドラムユニット収容部３６に装着するには、上記した引き出し（離脱）動作と逆の手順で操作する。
【０１７２】
具体的には、図５（ａ）に示すように、ドラムユニット１０を、本体開口部４を介して、ドラムユニット収容部３６に向けて挿入し、ドラムユニット収容部３６に収容させる。
【０１７３】
次いで、フロントカバー５を開放位置から閉鎖位置に移動させる。
【０１７４】
そうすると、図２に示すように、スライド部材６１の被押圧部６５が、フロントカバー５に押圧されて、スライド部材６１が、第２位置から第１位置へ移動される。
【０１７５】
このとき、スライド部材６１の第２位置から第１位置への移動に伴なって、移動部材６２が傾倒位置から起立位置に移動される。
【０１７６】
そうすると、前側の移動部材６２ＦがＬＥＤアレイ５０の前端部を、後側の移動部材６２ＲがＬＥＤアレイ５０の後端部を、それぞれ同時に上方に向かって移動させる。これにより、移動部材６２は、ＬＥＤアレイ５０を退避位置から露光位置へ平行に移動させる。
【０１７７】
このとき、露光位置において、第１フレーム５１の位置決めころ５３が、感光ドラム１５の周面に当接されて、ＬＥＤアレイ５０が感光ドラム１５に対して位置決めされる。
【０１７８】
すなわち、移動部材６２は、フロントカバー５の開放位置から閉鎖位置への移動に伴なう、スライド部材６１のスライド移動により、ＬＥＤアレイ５０を退避位置から露光位置へ移動させる。
【０１７９】
これにより、ドラムユニット１０の本体ケーシングへの装着が完了する。
５．作用効果
（１）このプリンタ１によれば、図２に示すように、スライド部材６１に加え、移動部材６２を備えているので、移動部材６２が、ＬＥＤアレイ５０を露光位置と退避位置とに移動させる変位量に対応するスライド部材６１の移動量を確保すれば、ＬＥＤアレイ５０を露光位置と退避位置とに確実に移動させることができる。
【０１８０】
そのため、移動部材６２を備えない構成と比較して、スライド部材６１の移動量の低減を図ることができる。
【０１８１】
その結果、ＬＥＤアレイ５０を露光位置と退避位置とに確実に移動させることができながら、プリンタ１の省スペース化を図ることができる。
【０１８２】
また、移動部材６２は、前側の移動部材６２Ｆと、後側の移動部材６２Ｒとを備えており、移動部材６２がＬＥＤアレイ５０を移動させるときに、前側の移動部材６２ＦがＬＥＤアレイ５０の前端部を、後側の移動部材６２ＲがＬＥＤアレイ５０の後端部を、それぞれ同時に移動させる。
【０１８３】
そのため、移動部材６２は、ＬＥＤアレイ５０の前後両端部を同時に移動させることができる。
【０１８４】
その結果、ＬＥＤアレイ５０を平行に移動させることができ、ＬＥＤアレイ５０がこじれることを防止できる。
【０１８５】
従って、ＬＥＤアレイ５０が破損することを抑制できるとともに、ＬＥＤアレイ５０と感光ドラム１５との所望しない接触を防止できる。
【０１８６】
また、移動部材６２が、ＬＥＤアレイ５０を退避位置から露光位置へ移動させるときには、位置決めコロ５３を、感光ドラム１５に確実に当接させることができるので、露光位置におけるＬＥＤアレイ５０と感光ドラム１５との相対的な位置決め精度の向上を図ることができる。
【０１８７】
また、スライド部材６１が前後方向に沿ってスライド移動することにより、移動機構６０がＬＥＤアレイ５０を露光位置と退避位置とに移動させるので、移動機構６０が、ドラムユニット１０や現像ユニット１１の前後方向（感光ドラム１５の軸線方向）に沿う本体ケーシング２に対する着脱作業時に、邪魔になることを低減できる。
（２）また、ＬＥＤアレイ５０は、感光ドラム１５に対して、下方から対向するように配置され、移動機構６０は、ＬＥＤアレイ５０の下側に設けられている。
【０１８８】
そのため、図５（ａ）に示すように、移動部材６２がＬＥＤアレイ５０を露光位置から退避位置へ移動させる場合、重力により、ＬＥＤアレイ５０を確実に退避位置に位置させることができる。
【０１８９】
一方、図２に示すように、移動部材６２がＬＥＤアレイ５０を退避位置から露光位置へ移動させる場合、移動部材６２がＬＥＤアレイ５０の前後両端部を、それぞれ支持するように設けられているので、重力に反して、ＬＥＤアレイ５０を確実に露光位置に位置させることができる。
【０１９０】
そのため、ＬＥＤアレイ５０を露光位置と退避位置とに確実に移動させることができる。
【０１９１】
また、移動機構６０が、図５（ａ）に示すように、ＬＥＤアレイ５０に対して、感光ドラム１５の反対側に配置されているので、ドラムユニット１０の本体ケーシング２に対する引き出し軌跡から十分に離間されている。そのため、ドラムユニット１０の本体ケーシング２に対する引き出し動作時において、ドラムユニット１０と移動機構６０とが干渉することを抑制でき、ドラムユニット１０の本体ケーシング２に対する円滑な引き出し作業を確保することができる。
【０１９２】
また、移動機構６０が、ＬＥＤアレイ５０に対して、感光ドラム１５の反対側に配置されているので、隣り合う現像ユニット１１の間隔を狭くすることができる（図１参照）。
【０１９３】
そのため、複数（４つ）の現像ユニット１１の並列方向、すなわち、左右方向におけるプリンタ１の小型化の図ることができる。
（３）また、感光ドラム１５は、図１に示すように、複数色（ブラック、イエロー、マゼンタ、シアン）に対応して、複数（４つ）設けられ、左右方向に互いに間隔を隔てて並列配置されている。
【０１９４】
そのため、フルカラーの画像を形成することができる。
【０１９５】
また、移動機構６０が、スライド部材６１の前後方向に沿うスライド移動により、ＬＥＤアレイ５０を露光位置と退避位置とに移動させるので、ＬＥＤアレイ５０を移動させるためのスペースを左右方向において確保する必要がない。
【０１９６】
そのため、隣り合う感光ドラム１５の軸間を狭くでき、フルカラーの画像を形成することができながら、プリンタ１のさらなる小型化を図ることができる。
（４）また、スライド部材６１は、図２に示すように、フロントカバー５が閉鎖位置に位置する状態において配置される第１位置と、図５（ａ）に示すように、フロントカバー５が開放位置に位置する状態において配置される第２位置とにスライド移動可能である。また、本体側ガイド部９９は、図５（ｂ）に示すように、スライド部材６１を第１位置から第２位置に向かって付勢する圧縮ばね１０１を備えている。
【０１９７】
そのため、簡易な構成でありながら、フロントカバー５の開閉動作に伴なって、スライド部材６１を第１位置と第２位置とに確実にスライド移動させることができる。
【０１９８】
その結果、フロントカバー５の開閉動作とスライド部材６１のスライド移動とを確実に連動させることができる。
（５）また、移動機構６０は、図２に示すように、ＬＥＤアレイ５０を保持する保持部材６３を備えている。また、移動部材６２は、図３に示すように、１対の第１リンク部材８２と第２リンク部材８３とを備えている。１対の第１リンク部材８２と第２リンク部材８３とは、第２平板部８９が、１対の第１平板部８５の間に側面視略Ｘ字状なるように、第１平板部８５対して交差して配置され、２つの貫通穴８７および貫通口９１に、略円柱状の軸部９５が挿通されることにより、相互に回転可能に連結されている（図４参照）。
【０１９９】
そして、移動部材６２は、図２に示すように、スライド部材６１が第１位置に配置された状態において、第１平板部８５と第２平板部８９とが形成する交差角θ（保持部材６３側に形成される角）の角度が、例えば、６０〜１２０°となるように起立する起立位置に配置される。また、移動部材６２は、スライド部材６１が第２位置に配置された状態において、起立位置における角度よりも、交差角θの角度が大きくなるように、ＬＥＤ支持フレーム３５側に傾倒する傾倒位置に配置される。
【０２００】
そのため、フロントカバー５の閉鎖位置から開放位置への移動に伴なう、スライド部材６１のスライド移動により、移動部材６２は、起立位置から傾倒位置に移動され、ＬＥＤアレイ５０を露光位置から退避位置へ移動させる。
【０２０１】
一方、フロントカバー５の開放位置から閉鎖位置への移動に伴なう、スライド部材６１のスライド移動により、移動部材６２は、傾倒位置から起立位置に移動され、ＬＥＤアレイ５０を退避位置から露光位置へ移動させる。
【０２０２】
その結果、スライド部材６１の移動量に対して、移動部材６２の変位量をより多く確保することができる。
【０２０３】
従って、スライド部材６１の移動量を低減しても、ＬＥＤアレイ５０を露光位置と退避位置とに確実に移動させることができるので、プリンタ１のさらなる省スペース化を図ることができる。
【０２０４】
また、前側の移動部材６２Ｆおよび後側の移動部材６２Ｒは、ＬＥＤアレイ５０の前後両端部を、保持部材６３の前後両端部を介して、それぞれ支持するように設けられている。つまり、保持部材６３の前後両端部は、前側の移動部材６２Ｆおよび後側の移動部材６２Ｒのそれぞれにより、下側から支持されている。
【０２０５】
そのため、保持部材６３に加えて、さらに、ＬＥＤアレイ５０を支持するための部材を設ける必要がない（または、簡略化できる）。その結果、部品点数の低減を図ることができるとともに、プリンタ１の小型化、とりわけ、左右方向におけるプリンタ１の小型化を図ることができる。
【符号の説明】
【０２０６】
１     プリンタ
２     本体ケーシング
４     本体開口部
５     フロントカバー
１０   ドラムユニット
１５   感光ドラム
３６   ドラムユニット収容部
５０   ＬＥＤアレイ
６０   移動機構
６１   スライド部材
６２   移動部材
８２   第１リンク部材
８３   第２リンク部材
９５   軸部
１０１ 圧縮ばね
【図１】
0005884475.tif 000002
【図２】
0005884475.tif 000003
【図３】
0005884475.tif 000004
【図４】
0005884475.tif 000005
【図５】
0005884475.tif 000006